(57)【要約】      （修正有）【課題】作業者が希望する工具を収納することができる腰袋を提供する。【解決手段】腰袋本体１は、矩形状の背部の前面に矩形状の前部６と、矩形状の側部５と、矩形状の底部４とを縫着して一段目ポケット１０を構成する。同様に一段目ポケット１０の前面には二段目ポケット１２、さらには前ポケット１４が構成され、各ポケットには、必要に応じて、釘や工具等が収納される。また、背部の上部は折り返されてベルト通し７を構成するとともに、折り返された背部の一部が、ズボンのベルトフックとの干渉を避けるために馬蹄形状に取り除かれて背割を構成する。この背割があることで、作業者はベルトフックを気にせずに腰袋を装着できる。ベルト通し７は５０ｍｍベルトが余裕で通るような折り返し幅を有している。そして、ベルト通し７には腰よれ防止補強パッドが縫着され、腰よれを防止している。【選択図】図１
0003195040.tif 000002
【実用新案登録請求の範囲】
【請求項１】
腰ベルトに装着して使用される腰袋であって、腰袋本体と前記腰袋本体に係合手段によって脱着可能に装着された工具類収納体を備えたことを特徴とする腰袋
【請求項２】
前記係合手段が、前記腰袋本体の側面に設けられたことを特徴とする請求項１に記載の腰袋
【請求項３】
前記係合手段が、前記腰袋本体又は前記工具類収納体の一方に配置された第１の雌部材と、前記第１の雌部材の下方に配置された第２の雌部材と、腰袋本体又は前記工具類収納体の他方に配置された前記第１の雌部材に係合する第１の雄部材と、前記第１の雄部材の下方に配置され前記第２の雌部材と係合する第２の雄部材で構成される１組の係合具であって、
前記第１の雌部材は両端が開口した第１の中空部を有する第１の筒状体を備え、
前記第２の雌部材は両端が開口した第２の中空部を有する第２の筒状体を備え、
前記第１、第２の雄部材は、各々前記第１、第２の中空部を塞ぐように脱着可能に挿入されることを特徴とする請求項１又は２に記載の腰袋
【請求項４】
前記第１の雄部材が、前記第１の筒状体の下端に掛止可能な掛止凸部を有することを特徴とする請求項３に記載の腰袋
【請求項５】
前記第１の雄部材と前記第２の雄部材及び前記第１の中空部と前記第２の中空部が、下方に向かって各々線形テーパー形状を有することを特徴とする請求項３又は４に記載の腰袋
【考案の詳細な説明】
【技術分野】
【０００１】
本考案は、建築工事や電気工事等の際に必要な材料や工具を収納する腰袋に関するものである。
【背景技術】
【０００２】
工事現場において大工や左官等の作業者は、通常、釘や木ネジ等の材料や金槌、釘抜き等の工具を入れた腰袋を腰に下げて作業を行う。そして、多種多様な工具を効率よく収納するために、腰袋の前面には従来からいくつかのポケットが設けられている。
【０００３】
しかし、使用する工具の多様化とともに腰袋の前面だけでは、必要な工具を全て収納できないという欠点があった。
【０００４】
この改善策として、特開２００５−３４２２０８号公報（以下「特許文献１」という。）や特開２００７−２７６０１４号公報（以下「特許文献２」という。）には、側面にも工具を入れるポケットが付いた腰袋が開示されている。これにより、従来の腰袋に比べて収納できる工具の種類も増え、作業能率が向上した。
【先行技術文献】
【特許文献】
【０００５】
【特許文献１】特開２００５−３４２２０８号公報
【０００６】
【特許文献２】特開２００７−２７６０１４号公報
【考案の概要】
【考案が解決しようとする課題】
【０００７】
しかしながら、特許文献１や特許文献２に開示されている腰袋においては、側面の小ポケットが作り付けであるため、作業内容によっては必要な工具類を収納できない場合も生じることになる。そのため、作業者は必要な工具の工具差（のみ差、ハンマー差等）や、ホルダー（墨壷ホルダー、溶接棒ホルダー等）を腰袋とは別に腰ベルトに装着するか、作業内容に見合った腰袋をオーダーメイドで作成するしか手段がなく、コスト面や納期において問題があった。
【０００８】
本考案は上記の問題点を解決することを課題としており、作業者の希望する工具類が収納できる腰袋を提供することを目的としている。
【課題を解決するための手段】
【０００９】
本考案は、作業者の希望する工具や材料を収納できる工具類収納体を腰袋の外面に脱着可能に設けたことを主な特徴とする。
【００１０】
すなわち、第１の本考案の腰袋は、腰ベルトに装着して使用される腰袋であって、腰袋本体と前記腰袋本体に係合手段によって脱着可能に装着された工具類収納体を備えたことを特徴とする。
係合手段を備えることにより、希望の工具や材料の工具類収納体を腰袋本体に脱着可能に装着できるので、作業内容に応じて工具類収納体を取り換えれば、腰袋自体を取り換えることなく、一つの腰袋で多種多様な作業内容に対応できる。
【００１１】
なお、この工具類収納体は様々な形状のものを含み、鑿やペンチ等に代表される各種工具の工具差、墨壷や溶接棒等のホルダー、釘やビス等の材料を入れるポケット等である。
また、係合手段とは、面ファスナー、スナップボタン、鉤ホック等であり、腰袋本体と工具類収納体の各々に設けられた係合具がお互いに脱着可能に係合する手段である。
【００１２】
さらに、第２の本考案の腰袋は、第１の本考案に係る腰袋において、前記係合手段が腰袋本体の側面に設けられたことを特徴とする。
係合手段を腰袋本体の側面に設けることで、腰袋本体前面には作り付けの各種ポケット等を設けることができる上に、両側面には作業者の希望する工具類収納体を装着することができ、腰袋の収容能力が向上する。
【００１３】
さらに、第３の本考案の腰袋は、第１または第２の本考案における腰袋の係合手段が、前記腰袋本体又は前記工具類収納体の一方に配置された第１の雌部材と、前記第１の雌部材の下方に配置された第２の雌部材と、前記腰袋又は前記工具類収納体の他方に配置された前記第1の雌部材に係合する第１の雄部材と、前記第１の雄部材の下方に配置され前記第２の雌部材と係合する第２の雄部材で構成される１組の係合具であって、
前記第１の雌部材は両端が開口した第１の中空部を有する第１の筒状体を備え、
前記第２の雌部材は両端が開口した第２の中空部を有する第２の筒状体を備え、
前記第１、第２の雄部材は、各々前記第１、第２の中空部を塞ぐように脱着可能に挿入されることを特徴とする。
【００１４】
各々係合する第１の雌部材と第１の雄部材、第２の雌部材と第２の雄部材を上下に配置することによって、工具類収納体が２点で腰袋本体に固定されるので、作業時に工具類収納体が腰袋本体から遊離して揺れるということがない。
【００１５】
さらに、第４の本考案の腰袋は、第３の本考案の腰袋における前記第１の雄部材が、前記第１の筒状体の下端に掛止可能な掛止凸部を有することを特徴とする。
【００１６】
第１の雄部材に設けられた掛止凸部が、第１の筒状体の下端に掛かるように第1の雄部材が第１の中空部に挿入される。そうすると、掛止凸部を押し下げて第1の筒状体の下端との掛止状態を解除しない限り、腰袋本体に装着された工具類収納体が腰袋本体から自然に外れるということがない。
なお、第２の雄部材にまで掛止凸部を設ける必要はない。掛止状態を解除する手間が増えるからである。
【００１７】
さらに、第５の本考案の腰袋は、第３又は第４の本考案の腰袋における前記第１の雄部材と前記第２の雄部材及び前記第１の中空部と前記第２の中空部が、下方に向かって各々線形テーパー形状を有することを特徴とする。
【００１８】
これにより、工具類収納体を腰袋本体に装着するに際して、雄部材の先端が中空部に入りやすくなる。また重力により雄部材が中空部の内壁に押し付けられることにより、工具類収納体がしっかりと腰袋本体に固定される。
【考案の効果】
【００１９】
本考案の腰袋は、腰袋本体に工具類収納体が係合手段によって脱着可能に装着されるので、作業内容に応じて工具類収納体を取り換えることができる。
【００２０】
そして、係合手段を腰袋本体の側面に設けた場合は、腰袋本体前面には作り付けの各種ポケット等を設けることができる上に、両側面には作業者の希望する工具類収納体を装着することができ、腰袋の収容能力が向上する。
【００２１】
また、各々係合する第１の雌部材と第１の雄部材、第２の雌部材と第２の雄部材を上下に配置することによって、工具類収納体が作業時に腰袋本体から遊離して揺れるということがない。
【００２２】
さらに、第１の雄部材が、第１の筒状体の下端に掛止可能な掛止凸部を有することで、腰袋本体に装着された工具類収納体が容易に腰袋本体から外れることを防止できる。
【００２３】
そして、第１第２の中空部、第１第２の雄部材が、下方に向かって各々線形テーパー形状を有することで、工具類収納体を腰袋本体にスムーズに挿入することができ、また工具類収納体がしっかりと腰袋本体に装着される。
【図面の簡単な説明】
【００２４】
【図１】本考案の腰袋に係る実施例を示す平面図である。
【図２】本考案の腰袋に係る実施例を示す斜視図である。
【図３】本考案の腰袋に係る実施例を示す側面図である。
【図４】本考案の腰袋に係る実施例のうち工具類収納体の裏面図である。
【図５】本考案の腰袋に係る実施例のうち係合手段の詳細を示す斜視図である。
【考案を実施するための形態】
【００２５】
本考案は、作業者の希望する工具が収納できる腰袋を提供するという目的を、腰袋本体と工具類収納体に一組の係合手段を設けることにより実現した。以下に本考案の好ましい実施の形態について図を用いて説明する。
【実施例】
【００２６】
図１は、本考案の実施例を示す平面図、図２は本考案の実施例を示す斜視図、図３は本考案の実施例を示す側面図である。腰袋本体１は、矩形状の背部３の前面に矩形状の前部６と、矩形状の側部５と、矩形状の底部４とを縫着して一段目ポケット１０を構成する。同様に一段目ポケット１０の前面には二段目ポケット１２、さらには前ポケット１４が構成され、各ポケットには、必要に応じて、釘や工具等が収納される。
【００２７】
また、背部３の上部は折り返されてベルト通し７を構成するとともに、折り返された背部３の一部が、ズボンのベルトフックとの干渉を避けるために馬蹄形状に取り除かれて背割（図示省略）を構成する。この背割があることで、作業者はベルトフックを気にせずに腰袋を装着できる。ベルト通し７は５０ｍｍベルトが余裕で通るような折り返し幅を有している。そして、ベルト通し７には腰よれ防止補強パッド（図示省略）が縫着され、腰よれを防止している。
【００２８】
底部４の外側にはさらに底部補強材１６が縫着され、破れやすい底部を二重底構造により完全補強している。
【００２９】
腰袋本体１の側面上部と工具類収納体２には互いに係合する係合手段２０が設けられている。この係合手段２０により、作業者は多種の工具類収納体から希望する工具類収納体を選択して腰袋本体１に装着することができる。
【００３０】
腰袋本体１は、厚手の布または本革等で構成されるのが一般的であるが、人工皮革を用いることにより、全革製に比べて低コスト化と長寿命化を図ることができる。
【００３１】
次に図３〜５を用いて本考案の実施例のうちの係合手段の詳細について説明する。
図３は本考案の実施例を示す側面図、図４は工具類収納体の裏面図、図５は係合手段の詳細を示す斜視図である。
図３に示すように腰袋本体１の側面上部に第１の雌部材２１ｂと第２の雌部材２２ｂ  が垂直に配置されている。この第1の雌部材２１ｂと第２の雌部材２２ｂは図５に示すように各々筒状の第１の中空部２１ｃ、第２の中空部２２ｃを有する。
そして、工具類収納体２に設けられた第１の雄部材２１ａと第２の雄部材２２ａが各々第１の雌部材２１ｂ、第２の雌部材２２ｂに上から挿入されて係合する。係合が完了すれば掛止凸部２１ｄが第２の雌部材２２ｂの下端に係止される。
【００３２】
第１の雌部材２１ｂと第１の雄部材２１ａ、第２の雌部材２２ｂと第２の雄部材２２ａが各々係合することで、作業時に腰袋本体１に装着された工具収納体２が腰袋本体１から遊離して揺れるということがない。
【００３３】
そして、第1の雄部材２１ａの下部と第２の雄部材２２ａの下部は、ともに下方に向かって線形テーパー形状を有し、第１の中空部２１ｃと第２の中空部２２ｃも、各々の雄部材と係合するように下方に向かって線形テーパー形状を有している。
これにより、工具類収納体２を腰袋本体１に装着する際に装着がやり易く、かつ装着後も重力により雄部材が中空部の内壁に押し付けられることにより、工具類収納体２がしっかりと腰袋本体１に固定される。
【００３４】
また、第1の雄部材２１ａには掛止凸部２１ｄが設けられており、雄部材と雌部材の係合完了後に掛止凸部２１ｄが第１の雌部材２１ｂの下端に掛止される。
これにより、腰袋本体１に装着された工具類収納体２が自然に腰袋本体１から脱落するということがない。
工具類収納体２を腰袋本体１から取り外すときは、指等で掛止凸部２１ｄを腰袋本体１側に押して、掛止凸部２１ｄと第１の雌部材２１ｂの下端との係合を解除すればよい。
【００３５】
係合手段としては、本実施例に示すものの他、面ファスナー、スナップボタン、鉤ホック等が採用される。
【００３６】
以上実施例に基づき説明をしたが、本考案の腰袋は、実施例に示すように工具類収納体を腰袋本体の側面に装着するタイプに限定されるものではない。本考案の腰袋は、腰袋本体１の背部３を除く外面の予め指定された任意の複数の位置に複数の工具類収納体を装着することができる。すなわち、工具類収納体が予め指定された位置にくるように係合手段を設けることで、これを実現することができる。
【符号の説明】
【００３７】
１      腰袋本体
２      工具類収納体
３      背部
４      底部
５      側部  
６      前部
７      ベルト通し
１０    一段目ポケット
１２    二段目ポケット  
１４    前ポケット
１６    底部補強材
２０    係合手段
２１ａ  第１の雄部材
２１ｂ  第１の雌部材
２１ｃ  第１の中空部
２１ｄ  掛止凸部
２２ａ  第２の雄部材
２２ｂ  第２の雌部材
２２ｃ  第２の中空部
【図１】
0003195040.tif 000003
【図２】
0003195040.tif 000004
【図３】
0003195040.tif 000005
【図４】
0003195040.tif 000006
【図５】
0003195040.tif 000007